(57)【特許請求の範囲】
【請求項１】
液晶表示パネルと、
前記液晶表示パネルを駆動する駆動回路と、
を備え、
前記液晶表示パネルは、ノーマリーブラックモードで映像表示が行われ、
第１の基板及び第２の基板に挟まれる液晶層と、
前記第１の基板または前記第２の基板に配置され、前記液晶層に電圧を印加する複数の画素電極と、
前記第１の基板または前記第２の基板のうち、環境光の入射する側に配置された、異方性散乱層、位相差層および偏光板と、
を有し、
前記異方性散乱層、前記位相差層および前記偏光板は、前記液晶層に近い側から前記異方性散乱層、前記位相差層および前記偏光板の順で積層され、
各画素電極は、複数の部分電極を有し、
前記駆動回路は、前記液晶表示パネルが白表示となる定電圧を印加する部分電極を映像信号に応じて選択するとともに、フレームレートを６０Ｈｚ未満にして各画素の発光面積を変調することにより階調表示を行い、
前記異方性散乱層の散乱中心軸は、視聴者が前記液晶表示パネルを眺める方向である主視角方向の反射率の輝度が最も高くなるように設定された向きであり、かつ、
前記液晶表示パネルは、前記異方性散乱層が設けられていないときにフリッカが最も目立つ方位が主視角とは数十度離れた方位となるように構成され、
前記液晶表示パネルが白表示となる定電圧は、黒表示となる定電圧よりも高い電圧である、
表示装置。
【請求項２】
前記フレームレートは、０．１Ｈｚ以上である、
請求項１に記載の表示装置。
【請求項３】
前記液晶表示パネルは、前記異方性散乱層が設けられていないときにフリッカが最も目立つ方位が主視角から数十度離れた方位となる、請求項１または請求項２に記載の表示装置。
【請求項４】
前記液晶表示パネルは、配向膜を有し、
前記偏光板の透過軸、前記位相差板の光学軸、前記異方性散乱層の散乱中心軸、前記配向膜のラビング方向は、前記主視角から離れた方向である、請求項１から請求項３のいずれか一項に記載の表示装置。
【請求項５】
前記液晶表示パネルが黒表示となる定電圧は、ゼロボルトである、請求項１から請求項４のいずれか一項に記載の表示装置。
【請求項６】
前記表示装置は、前記第１の基板または前記第２の基板のうち、前記環境光の入射する側に、前記液晶層を介して各画素電極と対向する透光性の共通電極を備え、
前記複数の画素電極は、前記第１の基板または前記第２の基板のうち、前記環境光の入射する側とは反対側に配置されており、前記液晶層を介して入射する環境光を前記液晶層側に反射する反射層として機能する
請求項１から請求項５のいずれか一項に記載の表示装置。
【請求項７】
前記表示装置は、前記第１の基板または前記第２の基板のうち、前記環境光の入射する側とは反対側に、前記液晶層を介して各画素電極と対向する光反射性の共通電極を備え、  前記複数の画素電極は、前記第１の基板または前記第２の基板のうち、前記環境光の入射する側に配置されており、前記液晶層を介して入射する環境光に対して透明な材料で構成されている
請求項１から５のいずれか一項に記載の表示装置。
【請求項８】
表示装置を備え、
前記表示装置は、
液晶表示パネルと、
前記液晶表示パネルを駆動する駆動回路と、
を有し、
前記液晶表示パネルは、ノーマリーブラックモードで映像表示が行われ、
第１の基板及び前記第２の基板に挟まれる液晶層と、
前記第１の基板または前記第２の基板に配置され、前記液晶層に電圧を印加する複数の画素電極と、
前記第１の基板または前記第２の基板のうち、前記環境光の入射する側に配置された、
異方性散乱層、位相差層、および偏光板と、
を有し、
前記異方性散乱層、前記位相差層および前記偏光板は、前記液晶層に近い側から前記異方性散乱層、前記位相差層および前記偏光板の順で積層され、
各画素電極は、複数の部分電極を有し、
前記駆動回路は、前記液晶表示パネルが白表示となる定電圧を印加する部分電極を映像信号に応じて選択するとともに、フレームレートを６０Ｈｚ未満にして各画素の発光面積を変調することにより階調表示を行い、
前記異方性散乱層の散乱中心軸は、視聴者が前記液晶表示パネルを眺める方向である主視角方向の反射率の輝度が最も高くなるように設定された向きであり、かつ、
前記液晶表示パネルは、前記異方性散乱層が設けられていないときにフリッカが最も目立つ方位が主視角とは数十度離れた方位となるように構成され、
前記液晶表示パネルが白表示となる定電圧は、黒表示となる定電圧よりも高い電圧である
電子機器。
【発明の詳細な説明】
【技術分野】
【０００１】
本技術は、反射型、または反射部と透過部とを兼ね備えた半透過型の表示装置に関する。また、本技術は、上記の表示装置を備えた電子機器に関する。
【背景技術】
【０００２】
近年、携帯電話や電子ペーパーなどのモバイル機器向けの表示装置の需要が高くなっている。モバイル機器向けの表示装置では、軽量化や小型化の観点から、バックライトが不要の反射型の表示装置が注目されている（例えば特許文献１参照。）。
【先行技術文献】
【特許文献】
【０００３】
【特許文献１】特許第２７７１３９２号
【発明の概要】
【発明が解決しようとする課題】
【０００４】
モバイル機器向けの表示装置では、消費電力をより一層低減することが要請されている。そこで、例えば、６０Ｈｚ未満で低速駆動することも考えられる。
【０００５】
しかし、６０Ｈｚ未満で低速駆動を行った場合には、フリッカが生じてしまい、実用に耐えないという問題があった。
【０００６】
本技術はかかる問題点に鑑みてなされたもので、その目的は、フリッカの発生を抑制しつつ、低消費電力化を実現することの可能な表示装置およびそれを備えた電子機器を提供することにある。
【課題を解決するための手段】
【０００７】
本技術による第１の表示装置は、液晶表示パネルと、液晶表示パネルを駆動する駆動回路とを備えたものである。液晶表示パネルは、液晶層と、液晶層との対向領域に配置され、液晶層に電圧を印加する複数の画素電極と、液晶層との関係で環境光の入射する側に配置された位相差層および偏光板とを有している。各画素電極は、複数の部分電極を有している。駆動回路は、液晶表示パネルが白表示となる定電圧を印加する部分電極を映像信号に応じて選択するとともに、フレームレートを６０Ｈｚ未満にして各画素の発光面積を変調することにより階調表示を行うようになっている。本技術による電子機器は、上記の表示装置を備えている。
【０００８】
本技術による表示装置および電子機器では、面積階調およびノーマリーブラックモードで映像表示が行われる。ここで、面積階調は中間階調を用いずに白黒２値で階調が行われるものであり、ノーマリーブラックモードは白表示の際に印加される電圧にばらつきがあったとしても安定した輝度が得られるものである。従って、例えば、フレーム反転駆動、１Ｈ反転駆動、１Ｖ反転駆動およびドット反転等を行うときに、共通電極に定電圧を印加するようにした場合に、各画素の液晶層に印加される電圧にばらつきが生じたとしても、安定した輝度が得られる。また、このように安定した輝度が得られることから、駆動周波数を低周波にした場合にも、フリッカの発生を抑制することができる。
【発明の効果】
【０００９】
本技術による表示装置および電子機器によれば、面積階調およびノーマリーブラックモードで映像表示を行うようにしたので、低フレームレートにした場合であっても、フリッカの発生を抑制することができる。従って、本技術では、フリッカの発生を抑制しつつ、低消費電力化を実現することができる。
【図面の簡単な説明】
【００１０】
【図１】本技術による一実施の形態に係る表示装置の構成の一例を表す断面図である。
【図２】図１の表示装置における各画素の構成の一例を表す平面図である。
【図３】図１の光拡散層の構成の一例を表す断面図である。
【図４】図１の光拡散層の視野角特性の一例を表す図である。
【図５】（Ａ）映像表示面側から表示装置を見たときの各構成要素の透過軸、光学軸、散乱中心軸、ラビング方向の関係の一例を表す図である。（Ｂ）表示装置が図５（Ａ）の構成となっているときのフリッカの目立つ方向の一例を表す図である。
【図６】図１の表示装置における画素電極の構成の一例を表す回路図である。
【図７】図１の表示装置における駆動波形の一例を表す波形図である。
【図８】ノーマリーブラック型の表示モードにおける印加電圧と反射率との関係の一例を表す図である。
【図９】反射率と輝度との関係の一例を表す図である。
【図１０】ノーマリーホワイト型の表示モードにおける印加電圧と反射率との関係の一例を表す図である。
【図１１】図１の光拡散層が省略されているときの印加電圧と反射率との関係の一例を表す図である。
【図１２】図１の表示装置における印加電圧と反射率との関係の一例を表す図である。
【図１３】図１の表示装置における画素電極の構成の他の例を表す平面図である。
【図１４】図１の表示装置における各画素の構成の一変形例を表す回路図である。
【図１５】一適用例に係る電子機器の構成の一例を表す斜視図である。
【発明を実施するための形態】
【００１１】
以下、発明を実施するための形態について、図面を参照して詳細に説明する。なお、説明は以下の順序で行う。
１．実施の形態（表示装置）
面積階調、ノーマリーブラックモード、低フレームレートおよび
ＣＯＭ電位一定で、液晶表示パネルが駆動されている例
２．適用例（電子機器）
上記実施の形態に係る表示装置が電子機器に適用されている例
【００１２】
＜１．実施の形態＞
[構成]
図１は、本技術による一実施の形態に係る表示装置１の断面構成の一例を表すものである。図１は模式的に表したものであり、実際の寸法、形状と同一とは限らない。なお、表示装置１が本技術の「表示装置」の一具体例に相当する。表示装置１は、反射型または半透過型の表示装置であり、例えば、図１に示したように、下側基板１０と、上側基板２０と、下側基板１０および上側基板２０の間に挟まれた液晶層３０と、下側基板１０を駆動する駆動回路４０とを備えている。なお、下側基板１０、上側基板２０および液晶層３０からなる液晶表示パネルが本技術の「液晶表示パネル」の一具体例に相当し、駆動回路４０が本技術の「駆動回路」の一具体例に相当する。また、液晶層３０が本技術の「液晶層」の一具体例に相当する。
【００１３】
この表示装置１において、上側基板２０（例えば後述の偏光板３２）の上面が映像表示面となっており、下側基板１０の背後には、バックライトなどの光源は配置されていない。つまり、表示装置１は、映像表示面側から入射した光を反射することにより映像を表示する反射型の表示装置である。
【００１４】
（液晶層３０）
液晶層３０は、例えば、ネマティック（Nematic）液晶を含んで構成されている。液晶層３０は、映像信号に応じて駆動されるものであり、映像信号に応じた電圧が印加されることにより、液晶層に入射する光を画素ごとに透過または遮断する変調機能を有している。
【００１５】
（下側基板１０）
下側基板１０は、例えば、図１に示したように、ＴＦＴ（Thin Film Transistor）などが形成された駆動基板１１と、ＴＦＴなどを覆う絶縁層１２と、ＴＦＴなどと電気的に接続された反射電極層１３と、反射電極層１３の上面に形成された配向膜１４とを有している。なお、反射電極層１３が本技術の「複数の画素電極」の一具体例に相当する。
【００１６】
駆動基板１１は、例えば、ガラス基板などからなる透明基板上に、ＴＦＴや容量素子などを含んで構成された画素回路を有している。透明基板は、ガラス基板以外の材料で構成されていてもよく、例えば、透光性の樹脂基板や、石英、シリコン基板などで構成されていてもよい。
【００１７】
反射電極層１３は、上側基板２０側の透明電極層２２（後述）と共に液晶層３０を駆動するものであり、例えば、面内に２次元配置された複数の画素電極からなる。画素電極および透明電極層２２は、駆動回路によって電圧が印加されると、画素電極および透明電極層２２間の電位差に応じた電界を、画素電極と透明電極層２２の間に発生させ、その電界の大きさ応じて液晶層３０を駆動するようになっている。表示装置１のうち、画素電極と透明電極層２２とが互いに対向する部分に対応する部分が、画素電極および透明電極層２２間に印加される電圧によって液晶層３０を部分的に駆動することの可能な基本単位となっている。この基本単位が画素に相当する。また、反射電極層１３は、液晶層３０を介して入射する環境光を液晶層３０側に反射する反射層としての役割を有している。反射電極層１３は、可視光を反射する導電性材料からなり、例えば、Ａｇなどの金属材料からなる。反射電極層１３の表面は、例えば、鏡面となっている。
【００１８】
反射電極層１３は、上述したような複数の画素電極からなる場合に、各画素電極は、複数の部分電極を有している。例えば、図２（Ａ）に示したように、各画素は、面積の相対的に小さな部分電極１３Ａと、面積の相対的に大きな部分電極１３Ｂとを並列配置して構成されている。なお、例えば、図２（Ｂ）に示したように、各画素が、開口を有する部分電極１３Ｃと、部分電極１３Ｃの開口内に配置された部分電極１３Ｄとにより構成されていてもよい。また、例えば、図２（Ｃ）に示したように、各画素が、面積の互いに等しい３つの部分電極１３Ｅ，１３Ｆ，１３Ｇを一列に配列して構成されていてもよい。
【００１９】
配向膜１４は、液晶層３０内の液晶分子を所定の方向に配向させるものであり、液層層３０と直接に接している。配向膜１４は、例えば、ポリイミドなどの高分子材料からなり、例えば、塗布したポリイミド等に対してラビング処理を施すことにより形成されたものである。
【００２０】
（上側基板２０）
上側基板２０は、例えば、図１に示したように、配向膜２１と、透明電極層２２と、カラーフィルタ（ＣＦ）層２３と、透明基板２４とを液晶層３０側からこの順に有している。
【００２１】
配向膜２１は、液晶層３０内の液晶分子を所定の方向に配向させるものであり、液層層３０と直接に接している。配向膜２１は、例えば、ポリイミドなどの高分子材料からなり、例えば、塗布したポリイミド等に対してラビング処理を施すことにより形成されたものである。
【００２２】
透明電極層２２は、各画素電極と対向して配置されており、例えば、面内全体に形成されたシート状の電極である。透明電極層２２は、各画素電極と対向して配置されていることから、各画素における共通電極としての役割を有している。透明電極層２２は、環境光に対して透光性の導電性材料で構成されており、例えば、ＩＴＯ（Indium Tin Oxide；酸化インジウムスズ））で構成されている。
【００２３】
ＣＦ層２３は、画素電極と対向する領域にカラーフィルタ２３Ａを有し、画素電極と非対向の領域に遮光膜２３Ｂを有している。カラーフィルタ２３Ａは、液晶層３０を過してきた光を、例えば、赤、緑および青の三原色にそれぞれ色分離するためのカラーフィルタを、画素に対応させて配列したものである。遮光膜２３Ｂは、例えば、可視光を吸収する機能を有している。遮光膜は、画素と画素の間に形成されている。透明基板２４は、環境光に対して透明な基板、例えば、ガラス基板などからなる。
【００２４】
上側基板２０は、透明基板２４の上面に、例えば、図１に示したように、光拡散層２５、光拡散層２６、１／４λ板２７、１／２λ板２８および偏光板２９を液晶層３０側からこの順に有している。光拡散層２５、光拡散層２６、１／４λ板２７、１／２λ板２８および偏光板２９は、例えば、粘着層や接着層で隣接する他の層と接合されている。なお、１／４λ板２７および１／２λ板２８が本技術の「位相差層」の一具体例に相当する。また、偏光板２９が本技術の「偏光板」の一具体例に相当する。
【００２５】
光拡散層２５，２６は、前方散乱が多く後方散乱が少ない前方散乱層である。光拡散層２５，２６は、特定方向から入射した光を散乱する異方性散乱層である。光拡散層２５，２６は、上側基板２０との関係で偏光板２９側の特定方向から光が入射してきた場合に、その入射光をほとんど散乱せずに透過させ、反射電極層１３で反射され戻ってきた光を大きく散乱するようになっている。
【００２６】
光拡散層２５は、例えば、図３（Ａ）に示したように、上側基板２０との関係で所定の方向から外光Ｌ１が入射したときにその外光を透過させ、その透過した光のうち反射電極層１３で反射された光Ｌ２を、散乱中心軸ＡＸ１を中心として所定の範囲で散乱させるようになっている。また、光拡散層２６は、例えば、図３（Ｂ）に示したように、上側基板２０との関係で所定の方向から外光Ｌ１が入射したときにその外光を透過させ、その透過した光のうち反射電極層１３で反射された光Ｌ２を、散乱中心軸ＡＸ２を中心として所定の範囲で散乱させるようになっている。ここで、外光Ｌ１は、上側基板２０の偏光板２９に入射する平行光である。外光Ｌ１は、無偏光光であってもよいし、偏光光であってもよい。
【００２７】
光拡散層２５は、例えば、図３（Ａ）に示したように、屈折率の互いに異なる２種類の領域（第１領域２５Ａ，第２領域２５Ｂ）を含んで構成されている。同様に、光拡散層２６は、例えば、図３（Ｂ）に示したように、屈折率の互いに異なる２種類の領域（第１領域２６Ａ，第２領域２６Ｂ）を含んで構成されている。なお、図３（Ａ），（Ｂ）は、光拡散層２５，２６の断面構成の一例を表したものである。光拡散層２５，２６は、図示しないが、ルーバー構造となっていてもよいし、柱状構造となっていてもよい。
【００２８】
光拡散層２５は、例えば、第１領域２５Ａおよび第２領域２５Ｂが厚さ方向に延在するとともに所定の方向に傾斜して形成されたものである。光拡散層２６は、例えば、第１領域２６Ａおよび第２領域２６Ｂが厚さ方向に延在するとともに所定の方向に傾斜して形成されたものである。光拡散層２５，２６は、例えば、屈折率の互いに異なる２種類以上の光重合可能なモノマーまたはオリゴマーの混合物である樹脂シートに、紫外線を斜め方向から照射することにより形成されたものである。なお、光拡散層２５，２６は、上記とは異なる構造となっていてもよく、また、上記とは異なる方法で製造されたものであってもよい。光拡散層２５，２６は、互いに等しい構造となっていてもよいし、互いに異なる構造となっていてもよい。
【００２９】
光拡散層２５，２６の散乱中心軸ＡＸ１，２は、互いに等しい方向を向いていることが好ましく、例えば、主視角方向を向いていることが好ましい。なお、散乱中心軸ＡＸ１，２は、互いに等しい方向を向いていなくてもよい。例えば、散乱中心軸ＡＸ１，２のうち一方の軸が主視角方向を向いており、散乱中心軸ＡＸ１，２のうち他方の軸が主視角方向とは異なる方向を向いていてもよい。また、例えば、散乱中心軸ＡＸ１，２のいずれもが主視角方向とは異なる方向を向いていてもよい。いずれにおいても、光拡散層２５，２６を用いたときに、光拡散層２５，２６の効果により、主視角方向の輝度が最も明るくなる（言い換えると反射率が最も高くなる）ように散乱中心軸ＡＸ１，２の向きが設定されていればよい。
【００３０】
ここで、主視角とは、表示装置１のユーザが表示装置１を使用する際に映像表示面を眺める方位に対応しており、映像表示面が方形状となっている場合には、映像表示面の一辺のうちユーザに最も近い辺と直交する方位に対応している。
【００３１】
光拡散層２５，２６によって生成される散乱光は、例えば、図４に示したように、図の上下方向を主視角としたときに、主視角方向において極角０度から９０度にかけて帯状に分布している。なお、図４は、光拡散層２５，２６の視野角特性の一例を表す図であり、図４において「散乱光Ｌ３」と示した箇所が、光拡散層２５，２６によって生成される散乱光の分布に相当する。
【００３２】
１／４λ板２７は、例えば、一軸延伸樹脂フィルムである。そのリタデーションは、例えば、０．１４μｍであり、可視光のうち最も視感度が高い緑色光波長の約１／４に相当する。従って、１／４λ板２７は、偏光板２９側から入射してきた直線偏光光を円偏光に変換する機能を有している。１／２λ板２８は、例えば、一軸延伸樹脂フィルムである。そのリタデーションは、例えば、０．２７μｍであり、可視光のうち最も視感度が高い緑色光波長の約１／２に相当する。ここで、１／４λ板２７および１／２λ板２８は、これら１／４λ板２７および１／２λ板２８全体として、偏光板２９側から入射してきた直線偏光光を円偏光に変換する機能を有しており、広範囲の波長に対して（広帯域の）円偏光板として機能する。偏光板２９は、所定の直線偏光成分を吸収し、それ以外の偏光成分を透過する機能を有している。従って、偏光板２９は、外部から入射してきた外光を直線偏光に変換する機能を有している。
【００３３】
ところで、下側基板１０、上側基板２０および液晶層３０からなる液晶表示パネルは、光拡散層２５，２６が設けられていないときにフリッカが最も目立つ方位が主視角とは異なる方位となるように構成されている。例えば、上述の液晶表示パネルは、光拡散層２５，２６が設けられていないときにフリッカが最も目立つ方位が主視角から数十度離れた方位となるように構成されている。例えば、映像表示面側から表示装置１を見たときに、偏光板２９の透過軸ＡＸ２９、１／２λ板２８の光学軸ＡＸ２８、１／４λ板２７の光学軸ＡＸ２７、光拡散層２６の散乱中心軸ＡＸ２、光拡散層２５の散乱中心軸ＡＸ１、配向膜２１のラビング方向ＡＸ２１、および配向膜１４のラビング方向ＡＸ１４が図５（Ａ）に示したように設定されているとする。このとき、図５（Ｂ）に示したように、主視角からずれた領域αにおいて、フリッカが目立つが、主視角方向では、フリッカは目立たない。
【００３４】
（画素）
図６は、下側基板１０内の回路構成の一例を表したものである。下側基板１０は、行状に配置された複数の走査線ＷＳＬと、列状に配置された複数の信号線ＤＴＬとを有しており、さらに、画素電極に対応して画素２０Ａを有している。各画素２０Ａは、例えば、図６に示したように、複数の走査線ＷＳＬと、複数の信号線ＤＴＬとが互いに交差する箇所に対応して設けられている。下側基板１０は、さらに、例えば、画素行ごとに共通して１つずつ設けられた複数の帯状の共通接続線ＣＯＭを有している。
【００３５】
各画素２０Ａは、例えば、図６に示したように、１つのトランジスタＴｒと、液晶素子ＣＬとを有している。トランジスタＴｒは、例えば、電界効果型のＴＦＴ（Thin Film Transistor；薄膜トランジスタ）であり、チャネルを制御するゲートと、チャネル両端に設けられたソースおよびドレインとによって構成されている。トランジスタＴｒは、ｐ型トランジスタであってもよいし、ｎ型トランジスタであってもよい。液晶素子ＣＬは、例えば、液晶層３０と、液晶層３０の一方に設けられた反射電極層１３と、液晶層３０の他方に設けられた透明電極層２２とにより構成されている。
【００３６】
透明電極層２２は、共通接続線ＣＯＭに接続されており、反射電極層１３は、トランジスタＴｒのソースまたはドレインに接続されている。トランジスタＴｒのゲートが走査線ＷＳＬに接続されており、トランジスタＴｒのソースおよびドレインのうち反射電極層１３に未接続の方が信号線ＤＴＬに接続されている。ここで、１水平ラインに属する複数の画素２０Ａでは、例えば、トランジスタＴｒのゲートが共通の走査線ＷＳＬに接続されている。つまり、一の走査線ＷＳＬに接続された複数の画素２０Ａは、一の走査線ＷＳＬに沿って一列に配置されている。
【００３７】
（駆動回路４０）
次に、駆動回路４０について説明する。駆動回路４０は、例えば、図示しないが、映像信号処理回路、タイミング生成回路、信号線駆動回路、走査線駆動回路および共通接続線駆動回路を有している。
【００３８】
映像信号処理回路は、外部から入力されたデジタルの映像信号を補正すると共に、補正した後の映像信号をアナログに変換して信号線駆動回路に出力するものである。タイミング生成回路は、信号線駆動回路および走査線駆動回路が連動して動作するように制御するものである。タイミング生成回路は、例えば、外部から入力された同期信号に応じて（同期して）、これらの回路に対して制御信号を出力するようになっている。
【００３９】
信号線駆動回路は、映像信号処理回路から入力されたアナログの映像信号を、各信号線ＤＴＬに印加して、選択対象の画素２０Ａに書き込むものである。信号線駆動回路は、例えば、図７に示したように、映像信号に対応する信号電圧Ｖｓｉｇを出力することが可能となっている。信号線駆動回路は、例えば、図７に示したように、極性が基準電圧との関係で１フレーム期間ごとに反転する信号電圧Ｖｓｉｇを各信号線ＤＴＬに印加して、選択対象の画素２０Ａに書き込むフレーム反転駆動を行うことが可能となっている。フレーム反転駆動は、液晶素子ＣＬの劣化を抑制するためのものであり、必要に応じて用いられる。さらに、信号線駆動回路は、例えば、図７に示したように、極性が１Ｈ期間ごとに基準電圧との関係で反転する信号電圧Ｖｓｉｇを各信号線ＤＴＬに印加して、信号電圧Ｖｓｉｇに対応する電圧を選択対象の画素２０Ａに書き込む１Ｈ反転駆動を行うことも可能となっている。１Ｈ反転駆動は、液晶素子ＣＬに印加する電圧の極性を反転させることに起因して、フレーム毎にフリッカが発生するのを抑制するためのものであり、必要に応じて用いられる。ここで、基準電圧は、例えば、０（ゼロ）ボルトとなっている。
【００４０】
走査線駆動回路は、上述の制御信号の入力に応じて（同期して）、走査線ＷＳＬに選択パルスを印加して、複数の画素２０Ａを所望の単位で選択するものである。画素２０Ａを選択する単位としては、例えば、１ライン、隣接する２ラインなど、必要に応じて種々の選択が可能である。また、ラインの選択は、順次選択であってもよいし、ランダム選択であってもよい。走査線駆動回路は、例えば、トランジスタＴｒをオンさせるときに印加する電圧Ｖｏｎと、トランジスタＴｒをオフさせるときに印加する電圧Ｖｏｆｆとを出力することが可能となっている。ここで、電圧Ｖｏｎは、トランジスタＴｒのオン電圧以上の値（一定値）となっている。電圧Ｖｏｆｆは、トランジスタＴｒのオン電圧よりも低い値（一定値）となっている。
【００４１】
共通接続線駆動回路は、例えば、図７に示したように、各フレーム期間において、一定の電圧Ｖｃｏｍを各共通接続線ＣＯＭに印加するようになっている。つまり、共通接続線駆動回路は、フレーム反転駆動や１Ｈ反転駆動などが行われている際に各共通接続線ＣＯＭを駆動せず、一定の電圧を印加し続けるようになっている。そのため、図７に示したように、各信号線ＤＴＬに信号電圧Ｖｓｉｇが所定の期間ごとに反転しながら印加されているときに、信号電圧Ｖｓｉｇの反転前に各液晶素子ＣＬに印加される電圧Ｖ１と、信号電圧Ｖｓｉｇの反転後に各液晶素子ＣＬに印加される電圧Ｖ２とは互いに異なっている。
【００４２】
駆動回路４０は、画素電極に含まれる複数の部分電極のうち、映像表示面が白表示となる定電圧を印加する部分電極を映像信号に応じて選択するようになっている。例えば、画素電極が、図２（Ａ）に示したようになっている場合には、駆動回路４０は、低階調時に部分電極１３Ａを選択し、中間階調時に部分電極１３Ｂを選択し、高階調時に部分電極１３Ａ，１３Ｂを選択するようになっている。また、例えば、画素電極が、図２（Ｂ）に示したようになっている場合には、駆動回路４０は、低階調時に部分電極１３Ｄを選択し、中間階調時に部分電極１３Ｃを選択し、高階調時に部分電極１３Ｃ，１３Ｄを選択するようになっている。また、例えば、画素電極が、図２（Ｃ）に示したようになっている場合には、駆動回路４０は、低階調時に部分電極１３Ｅを選択し、中間階調時に部分電極１３Ｅ，１３Ｆを選択し、高階調時に部分電極１３Ｅ，１３Ｆ，１３Ｇを選択するようになっている。
【００４３】
駆動回路４０は、さらに、画素電極に含まれる複数の部分電極のうち、映像表示面が白表示となる定電圧を印加する部分電極を映像信号に応じて上記のようにして選択し、選択した部分電極に対して、映像表示面が白表示となる定電圧を印加することにより、各画素２０Ａの発光面積を変調するようになっている。また、駆動回路４０は、画素電極に含まれる全ての部分電極を映像信号に応じて否選択とし、否選択の部分電極に対して映像表示面が黒表示となる定電圧を印加することにより、各画素２０Ａの発光面積を変調するようにもなっている。ここで、映像表示面が白表示となる定電圧は、映像表示面が黒表示となる定電圧よりも高電圧となっている。映像表示面が黒表示となる定電圧は、例えば、ゼロボルトか、またはゼロボルトに近い値の電圧となっている。従って、下側基板１０、上側基板２０および液晶層３０からなる液晶表示パネルは、ノーマリーブラック型の表示モードとなっている。
【００４４】
駆動回路４０は、さらに、映像表示を行う際に、フレームレートを６０Ｈｚ未満にしている。例えば、駆動回路４０は、映像表示を行う際に、フレームレートを０．１Ｈｚ以上６０Ｈｚ未満の範囲内の値にしている。
【００４５】
[作用、効果]
次に、本実施の形態の表示装置１の作用、効果について説明する。
【００４６】
本実施の形態では、例えば、特定の方向から入射してきた環境光は、偏光板２９によって直線偏光に変換され、さらに１／２λ板２８および１／４λ板２７によって円偏光に変換されたのち、液晶層３０に入射する。液晶層３０に入射した光は、液晶層３０で映像信号に応じて変調されるとともに、反射電極層１３で反射される。反射電極層１３で反射された光は、１／４λ板２７および１／２λ板２８によって直線偏光に変換され、偏光板２９を透過して映像光として外部に射出される。
【００４７】
図８は、ノーマリーブラック型の表示モードにおける印加電圧Ｖと反射率Ｙとの関係を模式的に表したものである。図９は、反射率Ｙと輝度Ｌ*との関係を模式的に表したものである。図１０は、参考例として、ノーマリーホワイト型の表示モードにおける印加電圧Ｖと反射率Ｙとの関係を模式的に表したものである。
【００４８】
本実施の形態では、上述したように、液晶表示パネルはノーマリーブラック型の表示モードとなっている。従って、例えば、駆動回路４０が、映像表示面が白表示となる定電圧として電位差Ｖ１を、液晶素子ＣＬに印加した場合には、電位差Ｖ１が印加された液晶素子ＣＬの反射率が所定の反射率Ｙａとなる。また、例えば、駆動回路４０が、映像表示面が白表示となる定電圧として、共通接続線ＣＯＭの電圧のばらつきに相当するΔＶだけ電位差Ｖ１よりも大きな電位差Ｖ２（＝Ｖ１＋ΔＶ）を、液晶素子ＣＬに印加した場合に、例えば、電位差Ｖ２が印加された液晶素子ＣＬの反射率が上記とほぼ同じ反射率Ｙａ＋ΔＹ１（ΔＹ１はほぼゼロボルト）となる。このように、液晶表示パネルがノーマリーブラック型の表示モードとなっている場合には、共通接続線ＣＯＭの電圧にばらつきがあったとしても、反射率の差ΔＹをほとんどゼロにすることが可能である。つまり、本実施の形態では、共通接続線ＣＯＭの電圧を変動させなくても、反射率の差ΔＹをほとんどゼロにすることが可能である。従って、共通接続線ＣＯＭの電圧のばらつきに起因して、白表示の輝度がばらつくことがなく、フリッカの発生を抑えることができる。
【００４９】
なお、光学設計によっては、反射率の差ΔＹがゼロに近似できないような大きさとなってしまう場合もある。しかし、その場合であっても、例えば、図９に示したように、反射率Ｙの大きさによらず、反射率の差ΔＹが所定の値（一定値）となっているとしたときに、反射率Ｙが大きくなるほど（輝度が大きくなるほど）、輝度差ΔＬが小さくなる。従って、液晶表示パネルがノーマリーブラック型の表示モードとなっている場合には、反射率の差ΔＹがゼロに近似できないような大きさとなっていたとしても、白表示の輝度ばらつきが小さい。従って、共通接続線ＣＯＭの電圧がばらついていたとしても、フリッカの発生を抑えることができる。
【００５０】
ところで、図１０に示したように、液晶表示パネルがノーマリーホワイト型の表示モードとなっている場合には、上記のようにはならない。すなわち、例えば、駆動回路が、映像表示面が黒表示となる定電圧として電位差Ｖ１を、ノーマリーホワイト型の液晶表示パネルの液晶素子に印加した場合に、電位差Ｖ１が印加された液晶素子の反射率が所定の反射率Ｙｂとなっていたとする。続いて、駆動回路が、映像表示面が黒表示となる定電圧として、共通接続線の電圧のばらつきに相当するΔＶだけ電位差Ｖ１よりも大きな電位差Ｖ２（＝Ｖ１＋ΔＶ）を、液晶素子に印加したとする。このとき、電位差Ｖ２が印加された液晶素子の反射率は、反射率Ｙｂとは大きく異なる反射率Ｙｂ＋ΔＹ２（ΔＹ２＞＞ゼロボルト）となる。つまり、液晶表示パネルがノーマリーホワイト型の表示モードとなっている場合には、共通接続線の電圧のばらつきに起因して、黒表示の輝度がばらついてしまう。黒表示の輝度がばらついた場合、それがフリッカとなり、表示品質が劣化してしまう。
【００５１】
また、本実施の形態では、映像表示を行う際に、フレームレートが６０Ｈｚ未満となっている。これにより、消費電力を抑えることができる。ここで、上述したように白輝度のばらつきが抑えられているので、フレームレートが６０Ｈｚ未満となっていても、それによって目立つほどのフリッカは生じない。
【００５２】
以上をまとめると、本実施の形態では、面積階調およびノーマリーブラックモードで映像表示が行われる。ここで、面積階調は中間階調を用いずに白黒２値で階調が行われるものであり、ノーマリーブラックモードは白表示の際に印加される電圧にばらつきがあったとしても安定した輝度が得られるものである。従って、例えば、フレーム反転駆動や１Ｈ反転駆動などを行うときに、共通接続線ＣＯＭに定電圧を印加するようにした場合に、各画素２０Ａの液晶層に印加される電圧にばらつきが生じたとしても、安定した輝度が得られる。また、このように安定した輝度が得られることから、駆動周波数を低周波にした場合にも、フリッカの発生を抑制することができる。従って、本実施の形態では、フリッカの発生を抑制しつつ、低消費電力化を実現することができる。
【００５３】
図１１は、光拡散層２５，２６が省略されているときの印加電圧と表示輝度との関係を模式的に表したものである。図１２は、光拡散層２５，２６が上述の位置に配置されているときの印加電圧と表示輝度との関係を模式的に表したものである。図１１、図１２中の実線は、主視角方向で４５度以上の極角で映像表示面を眺めたときの結果である。また、図１１、図１２中の一点鎖線は、主視角から６０度離れた方向で４５度以上の極角で映像表示面を眺めたときの結果である。
【００５４】
図１１、図１２から、光拡散層２５，２６が設けられることにより、主視角方向の輝度がＬｃ１からＬｄ１に増大していることがわかる。さらに、図１１、図１２から、光拡散層２５，２６が設けられることにより、主視角とは異なる方向において、共通接続線ＣＯＭの電圧のばらつきに起因する白表示の輝度ばらつきがΔＬ４からΔＬ５に減少していることがわかる。これらのことから、本実施の形態では、光拡散層２５，２６が設けられることにより、光拡散層２５，２６が省略されている場合と比べて、主視角方向の輝度を大きくすることができ、さらに、主視角とは異なる方向で生じるフリッカを目立たなくすることができる。
【００５５】
以上のことから、本実施の形態では、光拡散層２５，２６が設けられているので、主視角方向の輝度を大きくしつつ、主視角とは異なる方向で生じるフリッカを目立たなくすることができる。
【００５６】
［変形例］
なお、上記実施の形態では、反射電極層１３が複数の画素電極で構成され、透明電極層２２が共通電極となっていたが、その逆に、反射電極層１３が共通電極となっており、透明電極層２２が複数の画素電極で構成されていてもよい。この場合に、例えば、各画素電極は、複数の部分電極を有している。例えば、図１３（Ａ）に示したように、各画素は、面積の相対的に小さな部分電極２２Ａと、面積の相対的に大きな部分電極２２Ｂとを並列配置して構成されている。なお、例えば、図１３（Ｂ）に示したように、各画素が、開口を有する部分電極１３Ｃと、部分電極１３Ｃの開口内に配置された部分電極１３Ｄとにより構成されていてもよい。また、例えば、図１３（Ｃ）に示したように、各画素が、面積の互いに等しい３つの部分電極１３Ｅ，１３Ｆ，１３Ｇを一列に配列して構成されていてもよい。ただし、このようにした場合には、駆動回路４０は、反射電極層１３の画素電極に含まれる部分電極を選択する代わりに、透明電極層２２の画素電極に含まれる部分電極を選択することになる。
【００５７】
また、上記実施の形態において、各画素２０Ａがメモリ内蔵技術（Memory in Pixel:MIP）用いられていてもよい。例えば、図１４に示したように、各画素２０Ａが、トランジスタＴｒと液晶素子ＣＬとの接続点に出力端子が接続されたドライバ回路Ｄｒを有していてもよい。このドライバ回路Ｄｒは、メモリ内蔵型の交流反転用のドラバ回路であり、例えば、映像表示面に静止画を表示するにあたって、その静止画に対応する信号電圧Ｖｓｉｇを内蔵メモリに記憶し、映像表示面に静止画を表示している間、フレーム反転駆動や１Ｈ反転駆動などを行うようになっている。このようにした場合には、駆動回路４０が走査線ＷＳＬおよび信号線ＤＴＬを介して各画素２０Ａを駆動しなくて済むので、走査線ＷＳＬおよび信号線ＤＴＬを用いない分だけ消費電力を低減することができる。
【００５８】
＜２．適用例＞
次に、上記実施の形態およびその変形例に係る表示装置１の一適用例について説明する。図１５は、本適用例に係る電子機器１００の概略構成の一例を表す斜視図である。電子機器１００は、携帯電話機であり、例えば、図１５に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００５９】
表示装置１１３は、上記実施の形態およびその変形例に係る表示装置１と同一の構成を備えている。これにより、表示装置１１３において、フリッカの発生を抑制しつつ、低消費電力化を実現することができ
【００６０】
なお、上記実施の形態およびその変形例に係る表示装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００６１】
また、本技術は、以下の構成をとることもできる。
（１）
液晶表示パネルと、
前記液晶表示パネルを駆動する駆動回路と
を備え、
前記液晶表示パネルは、
液晶層と、
前記液晶層との対向領域に配置され、前記液晶層に電圧を印加する複数の画素電極と、
前記液晶層との関係で前記環境光の入射する側に配置された位相差層および偏光板と
を有し、
各画素電極は、複数の部分電極を有し、
前記駆動回路は、前記液晶表示パネルが白表示となる定電圧を印加する部分電極を映像信号に応じて選択するとともに、フレームレートを６０Ｈｚ未満にして各画素の発光面積を変調することにより階調表示を行うようになっている
表示装置。
（２）
前記フレームレートは、０．１Ｈｚ以上となっている
（１）に記載の表示装置。
（３）
前記液晶表示パネルは、前記液晶層との関係で前記環境光の入射する側に異方性散乱層を有し、
前記異方性散乱層の効果により最も反射率が高くなっている方向が、主視角方向を向いている
（１）または（２）に記載の表示装置。
（４）
前記液晶表示パネルは、前記異方性散乱層が設けられていないときにフリッカが最も目立つ方位が主視角とは異なる方位となるように構成されている
（３）に記載の表示装置。
（５）
当該表示装置は、前記液晶層との関係で前記環境光の入射する側に、前記液晶層を介して各画素電極と対向する透光性の共通電極を備え、
前記複数の画素電極は、前記液晶層との関係で前記環境光の入射する側とは反対側に配置されており、前記液晶層を介して入射する環境光を前記液晶層側に反射する反射層として機能する
（１）ないし（４）のいずれか１つに記載の表示装置。
（６）
当該表示装置は、前記液晶層との関係で前記環境光の入射する側とは反対側に、前記液晶層を介して各画素電極と対向する光反射性の共通電極を備え、
前記複数の画素電極は、前記液晶層との関係で前記環境光の入射する側に配置されており、前記液晶層を介して入射する環境光に対して透明な材料で構成されている
（１）ないし（４）のいずれか１つに記載の表示装置。
（７）
表示装置を備え、
前記表示装置は、
液晶表示パネルと、
前記液晶表示パネルを駆動する駆動回路と
を有し、
前記液晶表示パネルは、
液晶層と、
前記液晶層との対向領域に配置され、前記液晶層に電圧を印加する複数の画素電極と、
前記液晶層との関係で前記環境光の入射する側に配置された位相差層および偏光板と
を有し、
各画素電極は、複数の部分電極を有し、
前記駆動回路は、前記液晶表示パネルが白表示となる定電圧を印加する部分電極を映像信号に応じて選択するとともに、フレームレートを６０Ｈｚ未満にして各画素の発光面積を変調することにより階調表示を行うようになっている
電子機器。
【符号の説明】
【００６２】
１…表示装置、１０…下側基板、１１…駆動基板、１２…絶縁層、１３…反射電極層、１３Ａ，１３Ｂ，１３Ｃ，１３Ｄ，１３Ｅ，１３Ｆ，２２Ａ，２２Ｂ，２２Ｃ，２２Ｄ，２２Ｅ，２２Ｆ…部分電極、１４，２１…配向膜、１６，２２…透明電極層、１７，２９…偏光板、２０…上側基板、２０Ａ…画素、２３…ＣＦ層、２３Ａ…カラーフィルタ、２３Ｂ…遮光膜、２４…透明基板、２５，２６…光拡散層、２５Ａ，２６Ａ…第１領域、２５Ｂ，２６Ｂ…第２領域、２７…１／４λ板、２８…１／２λ板、３０…液晶層、４０…駆動回路、１００…電子機器、１１１…本体部、１１２…表示体部、１１３…表示装置、１１４…表示画面、１１５…操作ボタン、１１６…送話部、１１７…受話部、ＡＸ１，ＡＸ２…散乱中心軸、ＣＯＭ…共通接続線、ＣＬ…液晶素子、ＤＴＬ…信号線、Ｌ１…外光、Ｌ２…光、Ｌ３…散乱光、Ｔｒ…トランジスタ、ＷＳＬ…走査線。
【図１】
0005771453.tif 000002
【図２】
0005771453.tif 000003
【図３】
0005771453.tif 000004
【図４】
0005771453.tif 000005
【図５】
0005771453.tif 000006
【図６】
0005771453.tif 000007
【図７】
0005771453.tif 000008
【図８】
0005771453.tif 000009
【図９】
0005771453.tif 000010
【図１０】
0005771453.tif 000011
【図１１】
0005771453.tif 000012
【図１２】
0005771453.tif 000013
【図１３】
0005771453.tif 000014
【図１４】
0005771453.tif 000015
【図１５】
0005771453.tif 000016